(57)【要約】【課題】カメラの記録画像の情報端末装置側での高速及び高画質再生を両立させる。【解決手段】端末装置２０はカメラ１０に対して端末表示サイズを通知すると共に対象画像の画像データの要求信号を送信する。カメラ１０は、まず、端末表示サイズに応じた画像サイズの小さな縮小画像データ（ＤＡＴＡA）を端末装置２０に送信し、これを受信した端末装置２０では縮小画像データによる画像（ＩＭA）を再生する。カメラ１０は、縮小画像データの送信に続いて比較的大きな画像サイズを有する拡大表示用画像データ（ＤＡＴＡB）を送信する。以後、表示画像の一部の拡大表示を指示する拡大表示操作が端末装置２０に対して成された際、端末装置２０では、拡大表示用画像データに基づく高精細な拡大画像を表示する。【選択図】図８
2013179540.tif 000002
【特許請求の範囲】
【請求項１】
情報端末装置との通信が可能な撮像装置であって、
撮影によって得られた対象画像の原画像データを記録する記録媒体と、
前記原画像データに基づく画像データを前記情報端末装置に送信可能な送信部と、
前記原画像データに基づく画像データの送信を要求する要求信号を受信可能な受信部と、を備え、
前記送信部は、前記受信部による前記要求信号の受信に応答して、前記原画像データに基づく画像データを前記情報端末装置に送信する際、前記対象画像についての第１画像データと、前記対象画像についての、前記第１画像データよりも大きな画像サイズを有する第２画像データと、を連続して送信する
ことを特徴とする撮像装置。
【請求項２】
前記送信部は、前記原画像データに基づく画像データを前記情報端末装置に送信する際、前記第１画像データを送信してから前記第２画像データを送信する
ことを特徴とする請求項１に記載の撮像装置。
【請求項３】
情報端末装置との通信が可能な撮像装置であって、
撮影によって得られた対象画像の原画像データを記録する記録媒体と、
前記原画像データに基づく画像データを前記情報端末装置に送信可能な送信部と、
前記原画像データに基づく画像データの送信を要求する要求信号を受信可能な受信部と、を備え、
前記送信部は、前記受信部による前記要求信号の受信に応答して、前記原画像データに基づく画像データを前記情報端末装置に送信する際、前記対象画像についての第１画像データを送信した後、前記受信部による他の要求信号の受信を待つことなく、前記対象画像についての、前記第１画像データよりも大きな画像サイズを有する第２画像データを送信する
ことを特徴とする撮像装置。
【請求項４】
対象画像の原画像データを保持する電子機器との通信が可能な情報端末装置であって、
前記原画像データに基づく画像データの送信を要求する要求信号を送信可能な送信部と、
前記電子機器から送信された、前記原画像データに基づく画像データを受信する受信部と、
前記受信部にて受信された画像データに基づく画像を表示する表示部と、を備え、
前記受信部は、前記要求信号に応答して前記電子機器から送信された、前記対象画像についての第１画像データと、前記対象画像についての、前記第１画像データよりも大きな画像サイズを有する第２画像データと、を連続して受信する
ことを特徴とする情報端末装置。
【請求項５】
前記表示部の表示画像の拡大表示を指示する拡大表示操作又は前記表示部の表示画像の縮小表示を指示する縮小表示操作を受け付ける操作受付部を更に備え、
前記受信部は、前記第１画像データを受信してから前記第２画像データを受信し、
前記第１画像データの受信後、前記表示部は、前記第１画像データに基づく第１画像を表示し、その後において前記操作受付部に対し前記拡大表示操作が成されたとき、前記第２画像データに基づく第２画像を表示する
ことを特徴とする請求項４に記載の情報端末装置。
【請求項６】
前記第２画像が前記表示部に表示されているときにおいて、前記操作受付部に対し更に前記拡大表示操作が成されたとき、前記表示部は、前記第２画像よりも表示拡大倍率の大きい、前記第２画像データに基づく第３画像を表示する、又は、
前記第２画像が前記表示部に表示されているときにおいて、前記操作受付部に対し前記縮小表示操作が成されたとき、前記表示部は、前記第２画像よりも表示拡大倍率の小さい、前記第２画像データに基づく第４画像を表示する
ことを特徴とする請求項５に記載の情報端末装置。
【請求項７】
前記第２画像が前記表示部に表示されているときにおいて、表示拡大倍率を所定の基準倍率まで下げる操作が前記縮小表示操作として前記操作受付部に成されたとき、前記表示部は、前記表示画像の画角が段階的に増大するように前記第２画像データに基づく画像を表示し、前記表示画像の画角が前記第１画像の全体画角に達した時点で前記表示画像を前記第１画像に切り替える
ことを特徴とする請求項５に記載の情報端末装置。
【請求項８】
前記対象画像についてのデータ送信指示を受けた際、前記第２画像データそのもの又は前記第２画像データに基づく画像データを外部機器に送信する外部機器用送信部を更に備えた
ことを特徴とする請求項４〜請求項７の何れかに記載の情報端末装置。
【発明の詳細な説明】
【技術分野】
【０００１】
本発明は、デジタルカメラ等の撮像装置、及び、携帯電話機又はＰＤＡ（Personal Data Assistance）等の情報端末装置に関する。
【背景技術】
【０００２】
デジタルカメラ等にて取得及び記録された画像データを情報端末装置側で再生させる技術がある。或る従来技術では、デジタルカメラ側にて対象画像の画像サイズを情報端末装置の表示サイズ（例えば（３２０×４８０）の画像サイズ）にまで縮小し、縮小画像データを情報端末装置に送信している（例えば、下記特許文献１参照）。
【先行技術文献】
【特許文献】
【０００３】
【特許文献１】特開２００４−９６１６６号公報
【発明の概要】
【発明が解決しようとする課題】
【０００４】
上記従来方法によれば、デジタルカメラの記録サイズ分の画像データ（例えば、数１００万画素分の画像データ）を送信する場合と比べて、再生表示に必要なデータ通信量を抑制可能であると共に再生表示までの待ち時間も短縮可能である。但し、この従来方法の採用時において、情報端末装置の操作者（閲覧者）により拡大表示が求められた場合、情報端末装置は縮小画像データに基づく粗い画像を表示せざるを得ない。
【０００５】
そこで本発明は、情報端末装置側での画像再生の高速性及び高画質に寄与する撮像装置を提供することを目的とする。また本発明は、電子機器の保持データに基づく画像再生の高速性及び高画質に寄与する情報端末装置を提供することを目的とする。
【課題を解決するための手段】
【０００６】
本発明に係る撮像装置は、情報端末装置との通信が可能な撮像装置であって、撮影によって得られた対象画像の原画像データを記録する記録媒体と、前記原画像データに基づく画像データを前記情報端末装置に送信可能な送信部と、前記原画像データに基づく画像データの送信を要求する要求信号を受信可能な受信部と、を備え、前記送信部は、前記受信部による前記要求信号の受信に応答して、前記原画像データに基づく画像データを前記情報端末装置に送信する際、前記対象画像についての第１画像データと、前記対象画像についての、前記第１画像データよりも大きな画像サイズを有する第２画像データと、を連続して送信することを特徴とする
【０００７】
比較的画像サイズの小さな第１画像データの送信により、情報端末装置側での対象画像の高速再生が期待される。一方で、比較的画像サイズの大きな第２画像データの送信により、情報端末装置側での対象画像の高品質再生が期待される。
【０００８】
具体的には例えば、前記撮像装置において、前記送信部は、前記原画像データに基づく画像データを前記情報端末装置に送信する際、前記第１画像データを送信してから前記第２画像データを送信すると良い。
【０００９】
これにより、情報端末装置側での対象画像の高速再生が期待される。
【００１０】
本発明に係る他の撮像装置は、情報端末装置との通信が可能な撮像装置であって、撮影によって得られた対象画像の原画像データを記録する記録媒体と、前記原画像データに基づく画像データを前記情報端末装置に送信可能な送信部と、前記原画像データに基づく画像データの送信を要求する要求信号を受信可能な受信部と、を備え、前記送信部は、前記受信部による前記要求信号の受信に応答して、前記原画像データに基づく画像データを前記情報端末装置に送信する際、前記対象画像についての第１画像データを送信した後、前記受信部による他の要求信号の受信を待つことなく、前記対象画像についての、前記第１画像データよりも大きな画像サイズを有する第２画像データを送信することを特徴とする。
【００１１】
比較的画像サイズの小さな第１画像データの送信により、情報端末装置側での対象画像の高速再生が期待される。一方で、比較的画像サイズの大きな第２画像データの送信により、情報端末装置側での対象画像の高品質再生が期待される。
【００１２】
本発明に係る情報端末装置は、対象画像の原画像データを保持する電子機器との通信が可能な情報端末装置であって、前記原画像データに基づく画像データの送信を要求する要求信号を送信可能な送信部と、前記電子機器から送信された、前記原画像データに基づく画像データを受信する受信部と、前記受信部にて受信された画像データに基づく画像を表示する表示部と、を備え、前記受信部は、前記要求信号に応答して前記電子機器から送信された、前記対象画像についての第１画像データと、前記対象画像についての、前記第１画像データよりも大きな画像サイズを有する第２画像データと、を連続して受信することを特徴とする。
【００１３】
比較的画像サイズの小さな第１画像データの受信により、情報端末装置側での対象画像の高速再生が期待される。一方で、比較的画像サイズの大きな第２画像データの受信により、情報端末装置側での対象画像の高品質再生が期待される。
【００１４】
具体的には例えば、前記情報端末装置は、前記表示部の表示画像の拡大表示を指示する拡大表示操作又は前記表示部の表示画像の縮小表示を指示する縮小表示操作を受け付ける操作受付部を更に備え、前記受信部は、前記第１画像データを受信してから前記第２画像データを受信し、前記第１画像データの受信後、前記表示部は、前記第１画像データに基づく第１画像を表示し、その後において前記操作受付部に対し前記拡大表示操作が成されたとき、前記第２画像データに基づく第２画像を表示してもよい。
【００１５】
第１画像データの先行受信により対象画像の高速再生を担保することができる。一方で、続いて受信される第２画像データに基づき、拡大表示操作に応答した高精細表示も可能となる。
【００１６】
また例えば、前記第２画像が前記表示部に表示されているときにおいて、前記操作受付部に対し更に前記拡大表示操作が成されたとき、前記表示部は、前記第２画像よりも表示拡大倍率の大きい、前記第２画像データに基づく第３画像を表示しても良い、又は、前記第２画像が前記表示部に表示されているときにおいて、前記操作受付部に対し前記縮小表示操作が成されたとき、前記表示部は、前記第２画像よりも表示拡大倍率の小さい、前記第２画像データに基づく第４画像を表示しても良い。
【００１７】
また例えば、前記第２画像が前記表示部に表示されているときにおいて、表示拡大倍率を所定の基準倍率まで下げる操作が前記縮小表示操作として前記操作受付部に成されたとき、前記表示部は、前記表示画像の画角が段階的に増大するように前記第２画像データに基づく画像を表示し、前記表示画像の画角が前記第１画像の全体画角に達した時点で前記表示画像を前記第１画像に切り替えてもよい。
【００１８】
また例えば、前記対象画像についてのデータ送信指示を受けた際、前記第２画像データそのもの又は前記第２画像データに基づく画像データを外部機器に送信する外部機器用送信部を更に前記情報端末装置に設けておいても良い。
【発明の効果】
【００１９】
本発明によれば、情報端末装置側での画像再生の高速性及び高画質に寄与する撮像装置を提供することが可能である。また本発明によれば、電子機器の保持データに基づく画像再生の高速性及び高画質に寄与する情報端末装置を提供することが可能である。
【図面の簡単な説明】
【００２０】
【図１】本発明の実施形態に係る画像再生システムの全体構成図である。
【図２】本発明の実施形態に係るデジタルカメラの概略内部ブロック図である。
【図３】本発明の実施形態に係る情報端末装置の概略内部ブロック図である。
【図４】図３の情報端末装置に設けられるユーザインターフェースの内部ブロック図である。
【図５】デジタルカメラにて取得及び記録される原画像及び画像データを示す図である。
【図６】画像縮小処理により原画像から低解像度画像（縮小画像）が生成される様子を示した図である。
【図７】図６の低解像度画像から見た高解像度画像を示す図である。
【図８】本発明の第１実施例に係る動作フローチャートである。
【図９】本発明の第１実施例に係る動作フローチャートである。
【図１０】画像に対し拡大表示用の画像領域が設定される様子を示す図である。
【図１１】図１０（ｂ）の画像領域内の画像データに基づく、情報端末装置での表示画像を示す図である。
【図１２】本発明の第２実施例に係る動作フローチャートである。
【図１３】画像に対し拡大表示用の画像領域が設定される様子を示す図である。
【図１４】図１３の画像領域（４２０B）内の画像データに基づく、情報端末装置での表示画像を示す図である。
【図１５】画像に対し拡大表示用の画像領域が設定される様子を示す図である。
【図１６】図１５の画像領域（４３０B）内の画像データに基づく、情報端末装置での表示画像を示す図である。
【図１７】情報端末装置における表示画像の変遷を示す図である。
【発明を実施するための形態】
【００２１】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００２２】
図１は、本発明の実施形態に係る画像再生システムの全体構成図である。画像再生システムは、第１電子機器としての電子機器１と、第２電子機器としての電子機器２と、を備える。電子機器１及び２は双方向の通信が可能である。通信は、無線通信であっても良いし、有線通信であっても良い。
【００２３】
図２は、電子機器１の例であるデジタルカメラ１０（以下、カメラ１０と略記することがある）の概略内部ブロック図である。撮像装置としてのカメラ１０は、符号１０１〜１１１によって参照される各部位を備える。
【００２４】
撮像部１０１は、撮像素子を用いて、撮影画角内に収まる被写体を撮影することにより被写体画像の画像信号を得る。撮像部１０１は、光学系と、絞りと、ＣＣＤ（Charge Coupled Device）又はＣＭＯＳ（Complementary Metal Oxide Semiconductor）イメージセンサなどから成る撮像素子（固体撮像素子）とを備え、撮像素子から被写体画像の画像信号が出力される。画像処理部１０２は、撮像素子の出力画像信号に対して所定の画像処理（例えば、デジタル化処理、エッジ強調処理、ノイズ低減処理、デモザイキング処理、画像圧縮処理）を実行することで、撮像素子の出力画像信号に基づく対象画像の画像データを生成する。
【００２５】
主制御部１０３は、ＣＰＵ（Central Processing Unit）などから成り、カメラ１０内の各部位の動作を統括的に設御する。内部メモリ１０４は、ＳＤＲＡＭ（Synchronous Dynamic Random Access Memory）等にて形成され、カメラ１０内で生成された各種データを一時的に記憶する。表示部１０５は、液晶ディスプレイパネル等の表示画面を有する表示装置であり、主制御部１０３の制御の下、対象画像や記録媒体１０６の記録画像を含む任意の画像を表示する。表示部１０５はタッチパネル１１１を有する。
【００２６】
記録媒体１０６は、カード状半導体メモリや磁気ディスク等の不揮発性メモリであり、主制御部１０３による制御の下、対象画像の画像データを含む任意のデータを記録する。尚、本明細書において、データの記録、保持及び保存は互いに同じ意味を持つ。操作部１０７は、対象画像の撮影指示を受けるシャッタボタンを含むボタン等を備え、外部からの各種操作を受け付ける。シャッタボタンを含む幾つかのボタンは、タッチパネル１１１上のボタンであっても良い。カメラ１０の操作者は、操作部１０７又はタッチパネル１１１に所定の操作を施すことで様々な指示をカメラ１０に与えることができる。操作部１０７及びタッチパネル１１１の何れか一方をカメラ１０から割愛することも可能である。
【００２７】
通信部１０８は、任意の通信規格に従い、カメラ１０以外の通信機能を有する機器との間で任意のデータの通信を行う。カメラ１０以外の通信機能を有する機器には、電子機器２が含まれる。通信部１０８は、送信部１０９及び受信部１１０から成る。送信部１０９は、電子機器２に対して任意の信号（データを含む）を送信することができ、受信部１１０は、電子機器２から任意の信号（データを含む）を受信することができる。尚、送信部１０９による送信は主制御部１０３の制御の下で成される。
【００２８】
図３は、電子機器２の例である情報端末装置２０（以下、端末装置２０と略記することがある）の概略内部ブロック図である。端末装置２０は、符号２０１〜２１１によって参照される各部位を備える。端末装置２０は、電話機能を有しており、所謂スマートフォンに分類される装置であっても良い。但し、端末装置２０から電話機能（即ち電話機能部２０１）を割愛することも可能である。
【００２９】
電話機能部２０１は、通話に必要な部位（例えば、マイクロホン、音響信号処理回路、スピーカ）を備え、通信部２０８を利用して電話機能を実現する。画像処理部２０２は、所定の画像処理を実行する（詳細は後述）。主制御部２０３は、ＣＰＵ（Central Processing Unit）などから成り、端末装置２０内の各部位の動作を統括的に設御する。内部メモリ２０４は、ＳＤＲＡＭ（Synchronous Dynamic Random Access Memory）等にて形成され、端末装置２０内で生成された各種データを一時的に記憶する。表示部２０５は、液晶ディスプレイパネル等の表示画面を有する表示装置であり、主制御部２０３の制御の下、記録媒体２０６の記録画像を含む任意の画像を表示する。表示部２０５はタッチパネル２１１を有する。
【００３０】
記録媒体２０６は、カード状半導体メモリや磁気ディスク等の不揮発性メモリであり、主制御部２０３による制御の下、任意のデータを記録する。操作部２０７は、ボタン、キー又はダイヤル等を備え、外部からの各種操作を受け付ける。端末装置２０の操作者は、操作部２０７又はタッチパネル２１１に所定の操作を施すことで様々な指示を端末装置２０に与えることができる。以下、図４に示す如く、操作部２０７及びタッチパネル２１１から成る部位をユーザインターフェース（操作受付部）２２０と呼ぶ。但し、操作部２０７及びタッチパネル２１１の何れか一方を端末装置２０から割愛することも可能である。
【００３１】
通信部２０８は、任意の通信規格に従い、端末装置２０以外の通信機能を有する機器との間で任意のデータの通信を行う。端末装置２０以外の通信機能を有する機器には、電子機器１（本実施形態においてカメラ１０）が含まれる。通信部２０８は、送信部２０９及び受信部２１０から成る。送信部２０９は、電子機器１に対して任意の信号（データを含む）を送信することができ、受信部２１０は、電子機器１から任意の信号（データを含む）を受信することができる。尚、送信部２０９による送信は主制御部２０３の制御の下で成される。
【００３２】
図５に示される画像ＩＭOは、記録媒体１０６に記録されている対象画像の例である。本実施形態では、対象画像が静止画像であることを想定しているが、対象画像は動画像であっても良い。対象画像の画像サイズは様々な形態をとるが、記録媒体１０６に記録されている対象画像の画像サイズを原画像サイズと呼び、原画像サイズを有する対象画像を特に原画像と呼ぶ。図５の画像ＩＭOは原画像であるとする。原画像ＩＭOは、例えば、撮像部１０１を用いた撮影により得られた画像（即ち、撮像部１１の撮像素子の出力画像信号に基づく画像）である。注目した二次元画像の画像サイズ又は注目した表示領域の表示サイズを（Ｘ×Ｙ）にて表すと共に、二次元画像の画像データの画像サイズも（Ｘ×Ｙ）にて表現する（Ｘ及びＹは整数）。任意の二次元画像に関し、当該二次元画像の画像サイズと、当該二次元画像の画像データの画像サイズは、同じものを指す。Ｘ及びＹは、夫々、注目した二次元画像の水平方向及び垂直方向の画素数を表す、或いは、夫々、注目した表示領域の水平方向及び垂直方向の画素数を表す。原画像ＩＭOの画像データは（ＸO×ＹO）の画像サイズを有する（ＸO及びＹOは整数）。画像サイズ（ＸO×ＹO）は、例えば、原画像ＩＭOの撮影及び記録時においてカメラ１０に設定されていた撮影画像の記録サイズと一致している。積（ＸO×ＹO）に数１０万〜数１０００万の値を持たせることができる。
【００３３】
画像処理部１０２及び２０２の夫々は、任意の二次元画像（例えば原画像ＩＭO）である注目画像を縮小する画像縮小処理又は注目画像を拡大する画像拡大処理を行うことができる。画像処理部１０２及び２０２の夫々は、画像縮小処理によって注目画像の縮小画像を得ることができ、画像拡大処理によって注目画像の拡大画像を得ることがきる。画像縮小処理は、公知の間引き処理又は再標本化を用いて実現される。画像拡大処理は、補完処理を含む公知の再標本化を用いて実現される。注目画像に対する画像縮小処理は、注目画像の画像サイズを低減させる処理である。故に、注目画像が原画像ＩＭOである場合、原画像ＩＭOの縮小画像の画像サイズは、原画像ＩＭOの画像サイズ（ＸO×ＹO）よりも小さい。注目画像に対する画像拡大処理は、注目画像の画像サイズを増大させる処理である。故に、注目画像が原画像ＩＭOである場合、原画像ＩＭOの拡大画像の画像サイズは、原画像ＩＭOの画像サイズ（ＸO×ＹO）よりも大きい。
【００３４】
図６において、低解像度画像とも呼ぶことのできる画像ＩＭAは原画像ＩＭOの縮小画像の例であり、画像ＩＭAの画像サイズは（ＸA×ＹA）である（ＸA及びＹAは整数）。故に、画像ＩＭAの画像サイズ（ＸA×ＹA）及び解像度は、原画像ＩＭOの画像サイズ（ＸO×ＹO）及び解像度よりも小さい。図７において、高解像度画像とも呼ぶことのできる画像ＩＭBは、原画像ＩＭOに基づく、（ＸB×ＹB）の画像サイズを有する拡大表示用画像である（ＸB及びＹBは整数）。画像ＩＭBは、画像ＩＭAよりも高い解像度を有する。故に、画像ＩＭBの画像サイズ（ＸB×ＹB）は、画像ＩＭAの画像サイズ（ＸA×ＹA）よりも大きい。画像ＩＭBは、例えば、画像ＩＭAを得るときよりも縮小度合いの小さい画像縮小処理を用いて得た、原画像ＩＭOの縮小画像である。但し、画像ＩＭBは、原画像ＩＭOそのものであっても良いし、原画像ＩＭOの拡大画像であっても良い。
【００３５】
画像ＩＭA及びＩＭBの夫々の画角は原画像ＩＭOの画角と一致し、アスペクト比は画像ＩＭO、ＩＭA及びＩＭB間で互いに同じである。上述の説明から明らかなように、画像ＩＭO及びＩＭAは、それぞれ対象画像の原画像及び縮小画像であり、画像ＩＭBは、対象画像の原画像、縮小画像又は拡大画像である。解像度の相違を無視すれば、画像ＩＭA及びＩＭBは画像ＩＭOと同じ画像であるから、画像ＩＭA及びＩＭBの夫々も対象画像の一種と考えても良い。画像ＩＭO、ＩＭA及びＩＭBの画像データを、夫々、記号ＤＡＴＡO、ＤＡＴＡA及びＤＡＴＡBにて表し、夫々、原画像データ、縮小画像データ及び拡大表示用画像データとも呼ぶ。
【００３６】
以下、カメラ１０及び端末装置２０の動作の具体例を、複数の実施例の中で説明する。矛盾無き限り、以下に述べる複数の実施例の内、任意の２以上の実施例を組み合わせることが可能である。
【００３７】
＜＜第１実施例＞＞
カメラ１０及び端末装置２０の第１実施例を説明する。図８及び図９は、第１実施例に係るカメラ１０及び端末装置２０の動作手順を表すフローチャートである。端末装置２０は、通信を利用して、カメラ１０の保持している画像を表示する機能を持つ。ここでは、端末装置２０において、原画像ＩＭOに対応する対象画像の表示が求められていることを考える。
【００３８】
この場合、まず、ステップＳ１１において、端末装置２０の送信部２０９は、端末表示サイズをカメラ１０に通知するための通知信号と、対象画像の画像データの送信を要求する要求信号を送信する。端末表示サイズは、対象画像の表示に割り当てられる表示領域ＤＲの表示サイズであり、ここでは、端末表示サイズが（ＸA×ＹA）であるとする（例えば、（ＸA，ＹA）＝（４８０，３２０））。表示領域ＤＲは、表示部２０５の全表示領域そのもの又は全表示領域の一部である。ステップＳ１１の要求信号にて要求される画像データは、対象画像の原画像データに基づく画像データ（例えば、ＤＡＴＡO、ＤＡＴＡA又はＤＡＴＡB）である。尚、説明の簡略化上、対象画像（ＩＭO、ＩＭA又はＩＭB）のアスペクト比と、表示領域ＤＲのアスペクト比は同じであるとする。
【００３９】
カメラ１０において、受信部１１０は上記通知信号及び要求信号を受信する。ステップＳ１１に続くステップＳ１２において、上記通知信号及び要求信号に応答し、画像処理部１０２は、上記通知信号に応じた画像縮小処理を原画像ＩＭOに成すことで縮小画像ＩＭA（即ち、端末表示サイズと同じ画像サイズを有する縮小画像）を生成し、送信部１０９は、これによって得られた縮小画像ＩＭAの画像データ、即ち縮小画像データＤＡＴＡAを端末装置２０に送信する。
【００４０】
送信部１０９からの縮小画像データＤＡＴＡAは受信部２１０にて受信される。端末装置２０は、受信部２１０にて受信した縮小画像データＤＡＴＡAを内部メモリ２０４又は記録媒体２０６に保存する。縮小画像データＤＡＴＡAの受信後、ステップＳ１３において、端末装置２０の表示部２０５は、受信画像データＤＡＴＡAに基づく画像、即ち（ＸA×ＹA）の画像サイズを有する縮小画像ＩＭAを表示領域ＤＲに表示する。
【００４１】
一方、縮小画像データＤＡＴＡAの送信完了後、ステップＳ１４において、カメラ１０の送信部１０９は、画像サイズ（ＸB×ＹB）を有する拡大表示用画像データＤＡＴＡBを端末装置２０に送信し、画像データＤＡＴＡBは受信部２１０にて受信される。端末装置２０は、受信部２１０にて受信した画像データＤＡＴＡBを内部メモリ２０４又は記録媒体２０６に保存する。尚、図８では、ステップＳ１３における表示後にステップＳ１４の送信が成されているが、ステップＳ１４の送信は、縮小画像データＤＡＴＡAの送信完了後であればいつでも良い。
【００４２】
送信部１０９による画像データＤＡＴＡA及びＤＡＴＡBの送信は、受信部１１０による要求信号の受信（即ち、ステップＳ１１における単一の要求信号の受信）に応答して連続的に成されるものである。つまり、カメラ１０は、上記要求信号（単一の要求信号）の受信に応答して送信部１０９から端末装置２０に画像データＤＡＴＡAを送信した後、他の要求信号を特に受信部１１０にて受信しなくとも（即ち受信部１１０による他の要求信号の受信を待つことなく）、速やかに画像データＤＡＴＡBを送信部１０９から端末装置２０に送信する。端末装置２０に注目した場合は、以下のように言える。ステップＳ１１における単一の要求信号に応答してカメラ１０から送信された画像データＤＡＴＡAを受信部２１０にて受信した後、送信部２０９が他の要求信号を送信することなく、カメラ１０から送信された画像データＤＡＴＡBを受信部２１０にて受信する。他の要求信号は、ステップＳ１１における要求信号以外の信号であり、例えば、端末装置２０に対して画像データＤＡＴＡBを送信することを要求する信号である。他の要求信号は、端末装置２０の送信部２０９から送信されうる信号であっても良い。
【００４３】
端末装置２０のユーザインターフェース２２０（以下、ＵＩ２２０という）は、端末装置２０の操作者から、表示部２０５の表示画像（具体的には表示領域ＤＲの表示画像）の拡大表示を指示する拡大表示操作又は表示部２０５の表示画像（具体的には表示領域ＤＲの表示画像）の縮小表示を指示する縮小表示操作を受け付けることができる。尚、以下の説明において、特に記述なき限り、表示及び表示画像とは、表示領域ＤＲにおける表示及び表示画像を指すものとする。また、以下の説明において、特に記述なき限り、操作者とは端末装置２０の操作者を指す。拡大表示は、現在の表示画像の一部を拡大して表示することを指し、表示画像の画角の減少を伴う。縮小表示は、現在の表示画像を内包し且つ現在の表示画像よりも広い画角を有する画像を表示することを指す。
【００４４】
今、ステップＳ１４に続くステップＳ１５（図９参照）において、表示部２０５に画像ＩＭAが表示されているときに、ＵＩ２２０が操作者による拡大表示操作を受けたとする。この拡大表示操作によって、拡大表示されるべき画像領域４１０が指定される。ステップＳ１５において、画像領域４１０は、表示領域ＤＲ（図８参照）の一部であると共に表示領域ＤＲの表示画像の一部である。操作者は、ＵＩ２２０を介して表示画像上における画像領域４１０の中心位置を指定できても良い（後述の画像領域４２０及び４３０についても同様；図１２等参照）。図１０（ａ）において、画像領域４１０Aは、画像ＩＭAの全画像領域の一部であって、画像領域４１０に対応する画像領域である。図１０（ｂ）において、画像領域４１０Bは、画像ＩＭBの全画像領域の一部であって、画像領域４１０に対応する画像領域である。ステップＳ１５において、画像領域４１０内の画像及び画角は画像領域４１０A内の画像及び画角と同じである。解像度の相違を無視すれば、画像領域４１０B内の画像及び画角は画像領域４１０A内の画像及び画角と同じである。
【００４５】
拡大表示操作によって画像領域４１０が指定されると、ステップＳ１６において、画像処理部２０２は、画像領域４１０内の画像が表示領域ＤＲを用いて拡大表示されるように、拡大表示用画像データＤＡＴＡBに基づき画像４１０DSP（図１１参照）を生成する。具体的には例えば、画像処理部２０２は、内部メモリ２０４又は記録媒体２０６に保持された拡大表示用画像データＤＡＴＡBから画像領域４１０B内の画像データを抽出し、抽出した画像領域４１０B内の画像データの画像サイズを端末表示サイズに合わせるための画像縮小処理又は画像拡大処理を実行することで、画像データＤＡＴＡBに基づく、（ＸA×ＹA）の画像サイズを有する画像４１０DSPを生成する。画像４１０DSPは、ステップＳ１５にて指定された画像領域４１０内の画像の拡大画像に相当する。生成された画像４１０DSPは表示領域ＤＲに表示される（ステップＳ１６）。
【００４６】
上述の如く、カメラ１０側にて画像縮小処理を行って縮小画像を端末装置２０に送信する方法を採用すれば、原画像の画像データを通信する方法と比べて、表示用画像の送信に関わる通信データ量が抑制され、表示までの待ち時間も短縮される。また、端末装置２０側の処理負荷も軽減される。
【００４７】
仮に、端末装置２０が縮小画像データＤＡＴＡAしか保持していない場合において、端末装置２０の操作者（閲覧者）により拡大表示が求められた場合、端末装置２０は縮小画像データＤＡＴＡAに基づく粗い画像を表示せざるを得ない。精細な画像を表示するために、拡大表示操作を受けてから画像データＤＡＴＡBの送信要求をカメラ１０に発する方法を採用したならば、拡大表示操作に対する応答表示が遅くなる。これに鑑み、本実施例に係るカメラ１０は、対象画像の画像データの要求信号の受信に応答して、まず縮小画像データＤＡＴＡAを端末装置２０に送信し、その送信完了後、比較的解像度の高い画像データＤＡＴＡBを端末装置２０に送信する。結果、端末装置２０は、まず端末表示サイズに応じた縮小画像データＤＡＴＡAを受信するため、対象画像の表示を素早く行うことができる。そして、操作者からの拡大表示操作を待つことなく、端末装置２０は、画像データＤＡＴＡAの受信に続いて画像データＤＡＴＡBを受信するため、拡大表示操作を受けたときに素早く精細な拡大画像を表示することが可能となる。
【００４８】
＜＜第２実施例＞＞
カメラ１０及び端末装置２０の第２実施例を説明する。第２実施例では、上述の第１実施例に対して付加可能な技術を説明する。図１２は、第２実施例に係るカメラ１０及び端末装置２０の動作手順を表すフローチャートである。ステップＳ２１〜Ｓ２３の処理を、ステップＳ１１〜Ｓ１６の処理に続いて実行することができる。
【００４９】
図９のステップＳ１６にて画像４１０DSPが表示されている状態において、ＵＩ２２０は、ステップＳ２１にて操作者から拡大表示操作又は縮小表示操作を受け付ける。ステップＳ２１にて、ＵＩ２２０が拡大表示操作を受けた場合にはステップＳ２２への移行が発生する一方、ＵＩ２２０が縮小表示操作を受けた場合にはステップＳ２３への移行が発生する。
【００５０】
まず、ステップＳ２１にてＵＩ２２０が拡大表示操作を受けた場合を考える。この拡大表示操作によって、拡大表示されるべき画像領域４２０が指定される。ステップＳ２１において、画像領域４２０は、表示領域ＤＲ（図８参照）の一部であると共に表示領域ＤＲの表示画像の一部である。図１３において、画像領域４２０Bは、画像ＩＭBの全画像領域の一部であって、画像領域４２０に対応する画像領域である。画像領域４２０Bは、画像領域４１０Bよりも小さい（図１０（ｂ）も参照）。
【００５１】
拡大表示操作によって画像領域４２０が指定されると、ステップＳ２２において、画像処理部２０２は、画像領域４２０内の画像が表示領域ＤＲを用いて拡大表示されるように、拡大表示用画像データＤＡＴＡBに基づき画像４２０DSP（図１４参照）を生成する。具体的には例えば、画像処理部２０２は、内部メモリ２０４又は記録媒体２０６に保持された拡大表示用画像データＤＡＴＡBから画像領域４２０B内の画像データを抽出し、抽出した画像領域４２０B内の画像データの画像サイズを端末表示サイズに合わせるための画像縮小処理又は画像拡大処理を実行することで、画像データＤＡＴＡBに基づく、（ＸA×ＹA）の画像サイズを有する画像４２０DSPを生成する。生成された画像４２０DSPは表示領域ＤＲに表示される（ステップＳ２２）。
【００５２】
対象画像（即ち、画像ＩＭO、ＩＭA又はＩＭB）の全体画角に対する、表示画像の画角の比の逆数を、表示拡大倍率と呼ぶ。１倍の表示拡大倍率を基準倍率という。従って、対象画像（即ち、画像ＩＭO、ＩＭA又はＩＭB）の全体が表示領域ＤＲに表示されているときの表示拡大倍率は、基準倍率（１倍）である。表示領域ＤＲに画像４１０DSP、４２０DSP、４３０DSPが表示されているときの表示拡大倍率を、夫々、記号Ｒ410、Ｒ420、Ｒ430にて表す（画像４３０DSPについては後述）。そうすると、不等式“Ｒ420＞Ｒ410＞Ｒ430＞１”が成立する。
【００５３】
次に、ステップＳ２１にてＵＩ２２０が縮小表示操作を受けた場合を考える。この縮小表示操作によって、表示拡大倍率の減少が指示される。具体的には、ここでは、縮小表示操作により、表示拡大倍率が倍率Ｒ410から倍率Ｒ430へ減少することを考える。図１５の画像領域４３０Bは、表示拡大倍率Ｒ430に対応する、表示されるべき画像領域であって、画像ＩＭBの全画像領域の一部である。画像領域４３０Bは、画像領域４１０Bよりも大きい。
【００５４】
縮小表示操作によって画像領域４３０Bが指定されると、ステップＳ２３において、画像処理部２０２は、画像領域４３０B内の画像が表示領域ＤＲを用いて表示されるように、拡大表示用画像データＤＡＴＡBに基づき画像４３０DSP（図１６参照）を生成する。具体的には例えば、画像処理部２０２は、内部メモリ２０４又は記録媒体２０６に保持された拡大表示用画像データＤＡＴＡBから画像領域４３０B内の画像データを抽出し、抽出した画像領域４３０B内の画像データの画像サイズを端末表示サイズに合わせるための画像縮小処理又は画像拡大処理を実行することで、画像データＤＡＴＡBに基づく、（ＸA×ＹA）の画像サイズを有する画像４３０DSPを生成する。生成された画像４３０DSPは表示領域ＤＲに表示される（ステップＳ２３）。
【００５５】
上述の如く、画像４１０DSPの表示時に拡大表示操作が成されたとき、表示部２０５にて画像４１０DSPよりも表示拡大倍率の大きい画像４２０DSPを表示することができ、画像４１０DSPの表示時に縮小表示操作が成されたとき、表示部２０５にて画像４１０DSPよりも表示拡大倍率の小さい画像４３０DSPを表示することができる。
【００５６】
仮に、ステップＳ２１にてＵＩ２２０が受けた縮小表示操作が、表示拡大倍率を基準倍率より高い倍率から基準倍率に下げる操作であった場合、図１７に示す如く、表示部２０５は、画像処理部２０２と協働しつつ、表示画像の画角が段階的に増加するように画像データＤＡＴＡBに基づく画像を順次切り替え表示し、表示画像の画角が画像ＩＭA又はＩＭBの全体画角に達した時点で表示画像を縮小画像データＤＡＴＡAに基づく画像ＩＭAに切り替えるようにしても良い。表示画像の画角が画像ＩＭA又はＩＭBの全体画角に達した際、上記切り替えを行うことなく、画像データＤＡＴＡBに画像縮小処理を施して得た画像を表示することも可能であるが、上記切り替えを行った方が、画像縮小処理が不要となる分、処理負荷が軽減される。
【００５７】
＜＜第３実施例＞＞
カメラ１０及び端末装置２０の第３実施例を説明する。第３実施例を、第１又は第２実施例と組み合わせて実施することができる。端末装置２０に設けられた外部機器用送信部は、インターネット網などのネットワーク網を介し、又は、バス配線等を介し、カメラ１０及び端末装置２０以外の機器である外部機器に、任意のデータを送信することができる。外部機器は、例えば、所謂ソーシャルネットワーキングサービス又はブログ等のウェブサイトを運営するサーバ機器、又は、パーソナルコンピュータである。外部機器用送信部は送信部２０９に内包されていても良い。
【００５８】
任意のタイミングにおいて、ＵＩ２２０は、対象画像についてのデータ送信指示を操作者から受けることができる。受信部２１０にて画像データＤＡＴＡBが受信された後に、ＵＩ２２０が該データ送信指示を受けることも多い。例えば、画像ＩＭA又は画像データＤＡＴＡBに基づく画像が表示されているタイミングにおいて、ＵＩ２２０が該データ送信指示を受けたとき、外部機器用送信部は、画像データＤＡＴＡBそのもの、又は、画像データＤＡＴＡBに基づく画像データ（例えば、画像データＤＡＴＡBに基づく、画像データＤＡＴＡBよりも画像サイズの小さな画像データ、又は、画像データＤＡＴＡBの一部）を上記外部機器に送信することができる。
【００５９】
これにより、カメラ１０から端末装置２０に対して縮小画像データＤＡＴＡAを先行送信することによる表示待ち時間の短縮効果を享受しつつ、上記データ送信指示前に画像データＤＡＴＡBを端末装置２０に送信しておくことで上記データ送信指示があった際には短時間で画像データＤＡＴＡBを外部機器に送信することができる。
【００６０】
外部機器（サーバ機器等）へのデータ送信が予定されるような場合には、画像データＤＡＴＡBを原画像データＤＡＴＡOと一致させておくことが望ましい。即ち例えば、画像データＤＡＴＡBは原画像データＤＡＴＡOと一致し、ＵＩ２２０が該データ送信指示を受けたとき、外部機器用送信部から原画像データＤＡＴＡOが上記外部機器に送信されても良い。但し、上述したように、第３実施例においても、画像データＤＡＴＡBは原画像ＩＭOの縮小画像又は拡大画像の画像データでありうる。
【００６１】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈４を記す。各注釈に記載した内容は、矛盾なき限り、任意に組み合わせることが可能である。
【００６２】
［注釈１］
画像データの送信対象である対象画像は２以上であっても良い。２枚の対象画像についての画像データをカメラ１０から端末装置２０に送信する際、カメラ１０は、第１の対象画像についての縮小画像データ及び拡大表示用画像データの送信後に、第２の対象画像についての縮小画像データ及び拡大表示用画像データを送信するようにしても良いし、第１及び第２の対象画像についての縮小画像データを送信した後に、第１及び第２の対象画像についての拡大表示用画像データを送信するようにしても良い。３枚以上の対象画像についての画像データをカメラ１０から端末装置２０に送信する場合も同様である。
【００６３】
［注釈２］
カメラ１０は複数の動作モードの何れかにて動作し、複数の動作モードには、撮影によって対象画像の画像データの取得及び記録を行う撮影モードが含まれる。カメラ１０から端末装置２０に対する対象画像の画像データの送信を、撮影モードにおいて実行するようにしてもよい。例えば、カメラ１０にて撮影により対象画像の画像データが取得される以前において、端末装置２０は、カメラ１０に対し、上記通知信号及び要求信号を送信しておくことができる（図８のステップＳ１１参照）。この場合において、カメラ１０にて対象画像の例としての原画像ＩＭOの画像データＤＡＴＡOが実際に取得及び記録されると、カメラ１０は、新たな要求信号の受信を待つことなく、速やかに画像データＤＡＴＡA及びＤＡＴＡBを端末装置２０に送信しても良い。この場合も、カメラ１０は端末装置２０に対し、画像データＤＡＴＡBよりも先に画像データＤＡＴＡAを送信することが好ましいが、画像データＤＡＴＡAよりも先に画像データＤＡＴＡBを送信することも可能ではある。
【００６４】
［注釈３］
電子機器１は、デジタルカメラ以外の、画像データの記録及び送信機能を備えた任意の電子機器であっても良い。同様に、電子機器２は、画像データの受信及び表示機能を備えた任意の電子機器であっても良い。
【００６５】
［注釈４］
本実施形態に係る電子機器１又は２を、ハードウェア、或いは、ハードウェアとソフトウェアの組み合わせによって構成することができる。ソフトウェアを用いて電子機器１又は２を構成する場合、ソフトウェアにて実現される部位についてのブロック図は、その部位の機能ブロック図を表すことになる。ソフトウェアを用いて実現される機能をプログラムとして記述し、該プログラムをプログラム実行装置（例えばコンピュータ）上で実行することによって、その機能を実現するようにしてもよい。
【符号の説明】
【００６６】
１、２  電子機器
１０  デジタルカメラ
２０  情報端末装置
１０９  送信部
１１０  受信部
２０５  表示部
２０９  送信部
２１０  受信部
【図１】
2013179540.tif 000003
【図２】
2013179540.tif 000004
【図３】
2013179540.tif 000005
【図４】
2013179540.tif 000006
【図５】
2013179540.tif 000007
【図６】
2013179540.tif 000008
【図７】
2013179540.tif 000009
【図８】
2013179540.tif 000010
【図９】
2013179540.tif 000011
【図１０】
2013179540.tif 000012
【図１１】
2013179540.tif 000013
【図１２】
2013179540.tif 000014
【図１３】
2013179540.tif 000015
【図１４】
2013179540.tif 000016
【図１５】
2013179540.tif 000017
【図１６】
2013179540.tif 000018
【図１７】
2013179540.tif 000019